(57)【特許請求の範囲】
【請求項１】
アンテナを介して所望の周波数信号の受信あるいは送信の切替が可能な通信回路を備え、
前記通信回路は、
受信時に前記所望の周波数信号に従って第１周波数信号を発振する発振器と、
前記第１周波数信号を２分周した第２周波数信号を出力する第１の分周器と、
前記第２周波数信号を２分周した第３周波数信号を出力する第２の分周器と、
前記アンテナを介して受信した受信信号と前記第１周波数信号とをミキシングして中間周波数信号を出力する第１のミキサと、
前記中間周波数信号と前記第３周波数信号とをミキシングしてベースバンド信号を出力する第２のミキサと、
前記第１の分周器および前記第２の分周器の出力をミキシングすることが可能な第３のミキサと、
受信時に前記受信信号から前記第３のミキサの出力信号の周波数の信号成分を除去するフィルタ回路とを含む、通信装置。
【請求項２】
前記フィルタ回路は、前記受信信号と前記第３のミキサの出力信号とをミキシングする第４のミキサを有する、請求項１記載の通信装置。
【請求項３】
前記第４のミキサは、ソースが前記受信信号が伝送されるノードと接続され、ゲートは前記第３のミキサの出力信号の入力を受けるトランジスタを有する、請求項２記載の通信装置。
【請求項４】
前記フィルタ回路は、
前記第４のミキサから出力された信号をフィルタリング処理するローパスフィルタと、
前記ローパスフィルタを通過したＤＣ成分の電圧信号を検出する検出部とをさらに有する、請求項２記載の通信装置。
【請求項５】
前記ローパスフィルタは、抵抗とキャパシタとで構成される、請求項４記載の通信装置。
【請求項６】
前記発振器は、前記所望の周波数信号の４／５の周波数の第１周波数信号を発振する、請求項１記載の通信装置。
【請求項７】
前記第２のミキサから出力されるベースバンド信号をフィルタリング処理するローパスフィルタと、
前記ローパスフィルタを通過した信号をデジタル信号に変換する変換回路とをさらに含む、請求項１記載の通信装置。
【請求項８】
前記通信回路は、前記フィルタ回路の出力結果に基づいて前記第３のミキサを停止する制御回路をさらに含む、請求項１記載の通信装置。
【請求項９】
前記第１周波数信号の２倍の第４周波数信号を出力する第４のミキサと
前記第１の分周器の前記第２周波数信号と前記第４のミキサの出力の前記第４周波数信号とを切り替えて前記第３のミキサに出力するスイッチとをさらに備える、請求項１記載の通信装置。
【請求項１０】
前記発振器は、送信時に前記所望の周波数信号で発振し、
前記通信回路は、
前記第１の分周器から前記第３のミキサへの信号経路を、送信時に前記発振器から前記第３のミキサへの信号経路に切り替える第１のスイッチと、
前記第２の分周器から前記第３のミキサへの信号経路を、送信時に前記発振器から前記第３のミキサへの信号経路に切り替える第２のスイッチと、
送信時に前記受信信号から送信信号の入力に切り替える第３のスイッチとを含み、
前記フィルタ回路は、送信時に送信する送信信号から前記第３のミキサの出力信号の周波数の信号成分を除去する、請求項１記載の通信装置。
【請求項１１】
アンテナを介して所望の周波数信号の受信あるいは送信の切替が可能な通信回路を備える通信装置の制御方法であって、
受信時に前記所望の周波数信号に従って第１周波数信号を発振するステップと、
前記第１周波数信号を２分周した第２周波数信号を出力するステップと、
前記第２周波数信号を２分周した第３周波数信号を出力するステップと、
前記アンテナを介して受信した受信信号と前記第１周波数信号とをミキシングして中間周波数信号を出力するステップと、
前記中間周波数信号と前記第３周波数信号とをミキシングしてベースバンド信号を出力するステップと、
前記第２および第３周波数信号をミキシングして第４周波数信号を出力するステップと、
受信時に前記受信信号から前記第４周波数信号の周波数の信号成分を除去するステップとを備える、通信装置の制御方法。
【発明の詳細な説明】
【技術分野】
【０００１】
本開示は、通信装置に関し、特に、通信回路を有する通信装置に関する。
【背景技術】
【０００２】
従来より、通信回路を有する通信装置では、所望の周波数信号を受信する際に、その受信信号とともに重畳あるいは結合された妨害波信号（雑音）を除去することが必要である（特許文献１）。
【０００３】
当該文献では、妨害波の周波数を検出して、当該検出した妨害波の周波数信号を発生させて妨害波信号を除去する方式が提案されている。
【先行技術文献】
【特許文献】
【０００４】
【特許文献１】特開平７−３８４５３号公報
【発明の概要】
【発明が解決しようとする課題】
【０００５】
一方で、上記方式では、妨害波の周波数を検出する同調回路や、発振器等を余分に設ける必要があり複雑な制御が必要になる等の問題がある。
【０００６】
本開示は、上記の課題を解決するためになされたものであって、簡易な方式で妨害波を除去することが可能な通信装置および通信装置の制御方法を提供することを目的とする。
【０００７】
その他の課題と新規な特徴は、本明細書の記述および添付図面から明らかになるであろう。
【課題を解決するための手段】
【０００８】
一実施例によれば、通信装置は、アンテナを介して所望の周波数信号の受信あるいは送信の切替が可能な通信回路を備える。通信回路は、受信時に所望の周波数信号に従って第１周波数信号を発振する発振器と、第１周波数信号を２分周した第２周波数信号を出力する第１の分周器と、第２周波数信号を２分周した第３周波数信号を出力する第２の分周器と、アンテナを介して受信した受信信号と第１周波数信号とをミキシングして中間周波数信号を出力する第１のミキサとを含む。通信回路は、さらに、中間周波数信号と第３周波数信号とをミキシングしてベースバンド信号を出力する第２のミキサと、第１の分周器および第２の分周器の出力をミキシングすることが可能な第３のミキサと、受信時に受信信号から第３のミキサの出力信号の周波数の信号成分を除去するフィルタ回路とを含む。
【発明の効果】
【０００９】
一実施例によれば、通信装置は、簡易な方式で妨害波を除去することが可能である。
【図面の簡単な説明】
【００１０】
【図１】実施形態に基づく通信装置１の構成を説明する図である。
【図２】実施形態に基づく通信装置１の通信モジュール１０の構成を説明する図である。
【図３】実施形態に基づく通信装置１における周波数変換について説明する図である。
【図４】実施形態に基づくミキサ１２２およびその周辺回路の構成を説明する図である。
【図５】実施形態に基づく通信装置の受信時の発振器１５２の周波数等を説明する図である。
【図６】実施形態に基づく通信装置の送信時の発振器１５２の周波数等を説明する図である。
【図７】実施形態に基づく通信装置の送信時の高調波の除去を説明する図である。
【図８】本実施形態の変形例に基づく通信装置の通信モジュール１０＃の構成を説明する図である。
【図９】実施形態の変形例に基づく通信装置における周波数変換について説明する図である。
【図１０】実施形態の変形例に基づく通信装置の受信時の発振器１５２の周波数等を説明する図である。
【発明を実施するための形態】
【００１１】
本実施形態について図面を参照しながら詳細に説明する。なお、図中同一または相当部分には同一符号を付し、その説明は繰り返さない。
【００１２】
図１は、実施形態に基づく通信装置１の構成を説明する図である。
図１に示されるように、ＲＦ信号を送受信する通信装置１が示されている。
【００１３】
なお、ＲＦ信号として、一例として２．４ＧＨｚ帯の信号を利用する。
通信装置１は、半導体装置２と、アンテナモジュール１２と、アンテナ１４と、電源制御モジュール１８と、バッテリ２０とを含む。
【００１４】
半導体装置２には、一例として通信モジュール１０と、ＭＣＵ（Main Control Unit）１６とを含む。半導体装置２には、アンテナモジュール１２および電源制御モジュール１８の全部または一部を含んで構成することも可能である。また、半導体装置２に、ＭＣＵ１６の全部または一部を含まずに構成することも可能である。
【００１５】
電源制御モジュール１８は、バッテリ２０と接続され、各部に必要な電力を供給する。
ＭＣＵ１６は、通信装置１全体を制御する。
【００１６】
アンテナモジュール１２は、アンテナ１４と通信モジュール１０との間に接続され、アンテナ１４で受信した受信した信号あるいはアンテナ１４に送信する送信信号に対してインピーダンスマッチングを行う。
【００１７】
通信モジュール１０は、ＭＣＵ１６の指示に従って動作し、アンテナ１４と接続されたアンテナモジュール１２を介する送信／受信処理を実行する。そして、通信モジュール１０は、受信した信号をＭＣＵ１６に出力する。また、通信モジュール１０は、ＭＣＵ１６からの指示に従ってアンテナ１４から送信信号を出力する。
【００１８】
図２は、実施形態に基づく通信装置１の通信モジュール１０の構成を説明する図である。
【００１９】
図２に示されるように、通信モジュール１０は、受信用コイルＬ１と、送信用コイルＬ２と、アンプ１００，１２４，１３０，１３２，１３６，１３８，１５４，１６８，１７４と、ミキサ１０２〜１０６，１２２，１２８と、ＬＰＦ（Low Pass Filter）１０８，１１０，１７２と、ＡＤコンバータ１１２，１１４と、ベースバンド部１２０と、ＨＰＦ（High Pass Filter）１２６と、２分周器１４０，１５６と、発振器１５２と、ＤＡコンバータ１５８と、検出部１７０と、スイッチＳＷ１〜ＳＷ３とを含む。
【００２０】
受信処理について説明する。
受信用コイルＬ１を介して受信された受信信号は、アンプ１００により増幅されてミキサ１０２に出力される。
【００２１】
当該通信モジュールは、スライディングＩＦミキサ方式であり、受信信号は、２段のミキサによりベースバンド信号に変換される。
【００２２】
ミキサ１０２は、アンプ１００により増幅されたＲＦ信号とアンプ１７４により増幅されたローカル信号とをミキシングして、中間周波数帯の中間周波数信号にダウンコンバートして出力する。ローカル信号は、発振器１５２で発振される。
【００２３】
発振器１５２は、電圧制御発振器で構成される。ＤＡコンバータ１５８は、ベースバンド部１２０からの周波数を制御する指示Ｆｒｅｑに従ってアナログ電圧（制御電圧）に変換する。当該制御電圧が発振器１５２に入力され、発振器１５２から所望の周波数のローカル信号が発振される。
【００２４】
発振器１５２から発振されたローカル信号は、アンプ１７４で増幅されてミキサ１０２に出力される。
【００２５】
ミキサ１０２から出力された中間周波数信号は、ミキサ１０４，１０６にそれぞれ出力される。
【００２６】
ミキサ１０４，１０６は、直交復調器であり、中間周波数信号と所定の周波数信号とに基づいてＩｃｈ、Ｑｃｈのベースバンド信号を生成する。
【００２７】
ミキサ１０４，１０６からそれぞれ出力されたＩｃｈ、Ｑｃｈのベースバンド信号は、ＬＰＦ１０８，１１０を通過する。
【００２８】
ＬＰＦ１０８，１１０は、入力される信号の高周波成分を除去するフィルタリング処理を行い所望の周波数変換後のベースバンド信号をＡＤコンバータ１１２，１１４に出力する。
【００２９】
Ｉｃｈ、Ｑｃｈのベースバンド信号は、ＡＤコンバータ１１２，１１４によりデジタル信号に変換されてベースバンド部１２０にデータＩＢＢ，ＱＢＢとして入力される。
【００３０】
発振器１５２で発振されたローカル信号は、アンプ１５４で増幅される。そして、アンプ１５４で増幅されたローカル信号は、２分周器１５６で１／２倍の周波数に変換される。
【００３１】
２分周器１５６で変換された信号は、さらに２分周器１４０で１／２倍の周波数に変換される。２分周器１４０で変換された周波数信号は、アンプ１３６により増幅されてミキサ１０６に入力される。また、２分周器１４０で変換された周波数信号は、アンプ１３８により増幅されてミキサ１０４に入力される。
【００３２】
２分周器１５６から出力された信号は、スイッチＳＷ３を介してアンプ１３２により増幅されてミキサ１２８に出力される。
【００３３】
アンプ１３６から出力された信号は、スイッチＳＷ２を介してアンプ１３０により増幅されてミキサ１２８に出力される。
【００３４】
スイッチＳＷは、接点Ａ〜Ｃを有しており、指示に従って接続関係の変更が可能である。
【００３５】
なお、スイッチＳＷ２，ＳＷ３は、受信時においては、指示に従って接点Ａと接点Ｂとを結合するが送信時においては、指示に従って接点Ａと接点Ｃとを結合する。
【００３６】
スイッチＳＷ２の接点Ｂは、アンプ１３６と接続される。接点Ａは、アンプ１３０の入力側と接続される。接点Ｃは、発振器１５２と接続される。
【００３７】
スイッチＳＷ３の接点Ｂは、２分周器１５６と接続される。接点Ａは、アンプ１３２の入力側と接続される。接点Ｃは、発振器１５２と接続される。
【００３８】
ミキサ１２８は、アンプ１３０，１３２からそれぞれ出力される周波数信号をミキシングしてＨＰＦ１２６に出力する。
【００３９】
ＨＰＦ１２６を通過した信号は、アンプ１２４により増幅されてミキサ１２２に入力される。
【００４０】
スイッチＳＷ１は、アンテナモジュール１２とミキサ１２２との間を接続する。
スイッチＳＷ１は、接点Ａはミキサ１２２と接続される。接点Ｂはアンテナモジュールの入力側と接続される。接点Ｃは、アンプ１６８と接続される。
【００４１】
ミキサ１２２は、ＬＰＦ１７２と接続される。ＬＰＦ１７２は、検出部１７０と接続される。
【００４２】
本例において、ミキサ１２２は、受信信号から妨害波を除去するフィルタ回路を構成する。
【００４３】
次に、送信処理について説明する。
発振器１５２は、ベースバンド部１２０の指示に従って所望の送信周波数の信号を発振する。ＤＡコンバータ１５８は、ベースバンド部１２０からの周波数を制御する指示Ｆｒｅｑに従ってアナログ電圧（制御電圧）に変換する。当該制御電圧が発振器１５２に入力され、発振器１５２から所望の周波数のローカル信号が発振される。
【００４４】
アンプ１６８は、発振器１５２で発振されたローカル信号を増幅して出力する。アンプ１６８で増幅された信号は、送信用コイルＬ２を介してアンテナモジュール１２に出力される。そして、アンテナ１４を介して外部に出力される。
【００４５】
送信時にスイッチＳＷ２，ＳＷ３は、接点Ａと接点Ｃとを接続する。発振器１５２で発振された所望の送信周波数の信号は、アンプ１３０，１３２でそれぞれ増幅されてミキサ１２８に入力される。
【００４６】
ミキサ１２８は、アンプ１３０，１３２からの信号をミキシングしてＨＰＦ１２６に出力する。
【００４７】
ＨＰＦ１２６を通過した信号は、アンプ１２４により増幅されてミキサ１２２に出力される。
【００４８】
スイッチＳＷ１は、送信時に接点Ａと接点Ｃとを接続する。これによりミキサ１２２は、アンプ１６８の出力ノードと接続される。
【００４９】
ミキサ１２２は、アンプ１６８の出力ノードに伝達される信号から妨害波となる周波数成分を除去する。そして、除去された妨害波となる周波数成分の電力は、ＬＰＦ１７２および検出部１７０を介して回収される。
【００５０】
アンテナモジュール１２は、所望の送信周波数の信号のみを通過させてアンテナ１４から所望の送信周波数の信号を出力する。
【００５１】
ベースバンド部１２０は、送信および受信時に制御信号ＣＴ１〜ＣＴ３を切り替えて出力し、当該制御信号ＣＴ１〜ＣＴ３に従ってスイッチＳＷ１〜ＳＷ３はその接続関係を切り替える。
【００５２】
ここで、妨害波について説明する。
図３は、実施形態に基づく通信装置１における周波数変換について説明する図である。
【００５３】
図３（Ａ）に示されるように、所望の周波数信号として２４４０ＭＨｚを受信する場合について説明する。
【００５４】
発振器１５２のローカル信号ＬＯ１は、１９５２ＭＨｚに設定されている。ここで、ローカル信号ＬＯ１の周波数は、所望の周波数信号の４／５倍に設定される。
【００５５】
ミキサ１０２は、受信された所望の周波数信号（２４４０ＭＨｚ）とローカル信号ＬＯ１（１９５２ＭＨｚ）とをミキシング処理して中間周波数信号（２４４０−１９５２＝４８８ＭＨｚ）を出力する。
【００５６】
次に、図３（Ｂ）に示されるように、ミキサ１０４，１０６は、中間周波信号（４８８ＭＨｚ）と、ローカル信号ＬＯ２（４８８ＭＨｚ）とに基づいてベースバンド信号（０ＭＨｚ）に変換する。ローカル信号ＬＯ２（４８８ＭＨｚ）は、ローカル信号ＬＯ１（１９５２ＭＨｚ）を２分周器１５６で２分周して、さらに２分周器１４０で２分周した信号である。
【００５７】
図３（Ｃ）は、妨害波信号（１４６４ＭＨｚ）が受信される場合について説明する。
妨害波信号（１４６４ＭＨｚ）が受信された場合において、ミキサ１０２は、受信された妨害波信号（１４６４ＭＨｚ）とローカル信号ＬＯ１（１９５２ＭＨｚ）とをミキシング処理して中間周波数信号（１９５２−１４６４＝４８８ＭＨｚ）を出力する。
【００５８】
したがって、図３（Ｄ）に示されるように、ミキサ１０４は、中間周波数信号（４８８ＭＨｚ）と、ローカル信号ＬＯ２（４８８ＭＨｚ）とに基づいてベースバンド信号（０ＭＨｚ）に変換する。それゆえ、所望の周波数信号と妨害波信号とがともにベースバンド信号に重畳されることになる。
【００５９】
本実施形態においては、妨害波信号（１４６４ＭＨｚ）が受信される場合には、雑音として所望の周波数信号に重畳されて受信されてしまう可能性があるため当該妨害波信号をフィルタ回路により除去する。
【００６０】
次に、実施形態に基づくフィルタ回路について説明する。
フィルタ回路は、ミキサ１２２により構成される。
【００６１】
図４は、実施形態に基づくミキサ１２２およびその周辺回路の構成を説明する図である。
【００６２】
図４に示されるようにミキサ１２２は、スイッチングミキサで構成される。具体的には、スイッチングミキサは、トランジスタで形成される。トランジスタのソース側がスイッチＳＷ１と接続され、ゲートにアンプ１２４の出力を受ける。
【００６３】
当該構成にすることにより、受信された受信信号からゲートに入力された周波数信号の成分がトランジスタを通過し、インピーダンス変換される。
【００６４】
本例においては、アンプ１２４には、ミキサ１２８により妨害波信号（１４６４ＭＨｚ）と同じ周波数の信号が入力される。ミキサ１２８は、ローカル信号ＬＯ１（１９５２ＭＨｚ）を２分周した信号（９７６ＭＨｚ）と、ローカル信号ＬＯ１（１９５２ＭＨｚ）を４分周した信号（４８８ＭＨｚ）とをミキシングすることにより妨害波信号（１４６４ＭＨｚ）と同じ周波数の信号を生成する。
【００６５】
そして、インピーダンス変換された信号は、ＬＰＦ１７２でフィルタリング処理される。ミキサ１２２においてＤＣ（直流）成分にインピーダンス変換されるためＬＰＦ１７２において高周波成分のみがカットされる。
【００６６】
ＬＰＦ１７２は、抵抗とキャパシタとで構成される。
検出部１７０は、キャパシタで構成され、ＬＰＦ１７２を介して直流成分の電圧が印加されることによりキャパシタに回収（充電）される。直流成分であるため整流回路等を設ける必要が無い。当該キャパシタで電圧を検知することにより受信信号に含まれる妨害波の周波数成分を除去するとともに、当該妨害波の受信を検知することが可能である。
【００６７】
なお、キャパシタに充電されない場合には、妨害波は受信していないと判断することが可能である。したがって、妨害波の受信が無いと判断される場合には、ミキサ１２２に入力する信号の生成を停止するようにしても良い。
【００６８】
具体的には、検出部１７０は、妨害波の受信を検知しない場合には、アンプ１３０，１３２の動作およびミキサ１２８のミキシング処理を実行しないように指示するようにしても良い。なお、当該妨害波の受信の有無については定常的に検知するようにしても良いし、所定周期毎に検知するようにしても良い。
【００６９】
図５は、実施形態に基づく通信装置の受信時の発振器１５２の周波数等を説明する図である。
【００７０】
図５に示されるように、発振器１５２は、所望の周波数信号（２４４０ＭＨｚ）を受信する場合に、当該所望の周波数信号（２４４０ＭＨｚ）の４／５倍の周波数を発振する。本例においては、１９５２ＭＨｚのローカル信号ＬＯ１を発振する場合が示されている。
【００７１】
ミキサ１０２は、所望の周波数信号（２４４０ＭＨｚ）と、ローカル信号ＬＯ１（１９５２ＭＨｚ）とをミキシング処理して中間周波数信号（４８８ＭＨｚ）を出力する。
【００７２】
ミキサ１０４，１０６は、中間周波数信号（４８８ＭＨｚ）と、ローカル信号ＬＯ２（４８８ＭＨｚ）とをミキシング処理してベースバンド信号Ｉｃｈ，Ｑｃｈを出力する。
【００７３】
一方で、本例においては、フィルタ回路により妨害波信号（１４６４ＭＨｚ）と同じ周波数の信号を除去する。
【００７４】
この点で、ミキサ１２８は、１９５２ＭＨｚのローカル信号を２分周した９７６ＭＨｚの信号と、それをさらに２分周した４８８ＭＨｚとをミキシング処理して１４６４ＭＨｚの周波数信号を出力する。
【００７５】
ミキサ１２２は、妨害波信号（１４６４ＭＨｚ）と同じ周波数成分の信号を受けて、受信信号から当該信号成分のみを通過させる。これにより、受信信号から妨害波の周波数成分のみを除去することが可能であり、所望の周波数信号のみを復調することが可能である。
【００７６】
本実施形態に基づく構成においては、当該妨害波を除去するための特別な回路を設ける必要が無く、ミキサ１２８を設けることにより妨害波信号（１４６４ＭＨｚ）と同じ周波数成分の信号を生成することが可能である。したがって、妨害波信号を除去するための発振器を設ける必要がない。
【００７７】
また、当該妨害波信号と同じ周波数の信号をミキサ１２８で生成して出力することにより、受信した受信信号から妨害波信号の信号成分のみを除去することが可能であり、簡易な構成で妨害波信号を除去することが可能である。
【００７８】
図６は、実施形態に基づく通信装置の送信時の発振器１５２の周波数等を説明する図である。
【００７９】
図６に示されるように、所望の周波数信号（２４４０ＭＨｚ）を送信周波数とする場合、発振器１５２は、当該送信周波数と同じ周波数で発振する。本例においては、２４４０ＭＨｚのローカル信号ＬＯ１を発振する場合が示されている。
【００８０】
そして、スイッチＳＷ１〜ＳＷ３は、送信時において切り替えられ、接点Ａと接点Ｃとを接続する。
【００８１】
これにより、ミキサ１２８は、２つのローカル信号ＬＯ１を受けてミキシング処理して、２倍の周波数信号（４８８０ＭＨｚ）を出力する。
【００８２】
スイッチＳＷ１は、送信時に接点Ａと接点Ｃとを接続する。ミキサ１２２は、アンプ１６８の出力ノードと接続される。
【００８３】
ミキサ１２２は、ミキサ１２８から出力された周波数信号（４８８０ＭＨｚ）を受けて、送信信号から送信周波数の２倍の周波数信号（４８８０ＭＨｚ）を抽出する。
【００８４】
図７は、実施形態に基づく通信装置の送信時の高調波の除去を説明する図である。
図７に示されるように、発振器１５２から発振出力された所望の送信周波数の信号は、アンプ１６８で増幅された際に高調波を生じさせる。本例においては、所望の送信周波数信号をｆｔｘとしている。また、高調波をＨＤ１，ＨＤ２，ＨＤ３として示している。
【００８５】
当該高調波は雑音（ノイズ）となるため、当該雑音（ノイズ）を除去することが必要となる。
【００８６】
ミキサ１１８は、発振器１５２からの送信周波数の信号をミキシングして、当該送信周波数の２倍の周波数信号２ｆｔｘをミキサ１２２に出力する。
【００８７】
ミキサ１２２は、アンプ１６８で出力した信号と、ミキサ１１８で出力された２倍の周波数信号とをミキシング処理する。当該ミキシング処理によりミキサ１１８で出力した２倍の周波数信号の成分のみがＬＰＦ１７２に出力される。すなわち、高調波のＨＤ２のみがＬＰＦ１７２に出力される。
【００８８】
これにより、送信用コイルＬ２に入力される信号は、２倍の高調波（ＨＤ２）の成分が抑制され、当該高調波（ＨＤ２）が抑制された所望の送信周波数の信号がアンテナ１４から送信される。
【００８９】
ＬＰＦ１７２は、ミキサ１２２から出力される信号のうち周波数成分の低い信号のみを通過させる。２倍の高調波（ＨＤ２）は、インピーダンス変換されてＤＣ成分として検出部１７０に入力される。そして、検出部１７０で検出されたＤＣ成分は、バッテリ２０と接続されて充電されるものとする。
【００９０】
本実施形態に従う通信装置は、アンプ１６８から出力される高調波である雑音（ノイズ）を除去するだけでなく、バッテリ２０に、アンプ１６８から雑音（ノイズ）として出力される高調波を回収できるため消費電力を低減することができる。
【００９１】
したがって、ミキサ１２２は、受信時においても妨害波信号を除去するとともに、送信時においても高調波を除去することが可能である。
【００９２】
なお、本例においては、所望の送信周波数の２倍の周波数信号の高調波を除去して回収する方式について説明したが特にこれに限られずｎ倍（２以上）の周波数信号の高調波であれば同様に適用可能である。
【００９３】
なお、周波数ホッピング方式により発振器１５２からの送信周波数が変更される場合であってもミキサ１１８は、当該送信周波数の２倍の周波数信号をミキサ１２２に出力するため容易に当該方式に対応することが可能である。
【００９４】
（変形例）
図８は、本実施形態の変形例に基づく通信装置の通信モジュール１０＃の構成を説明する図である。
【００９５】
図８に示されるように通信モジュール１０＃は、図２で説明した通信モジュール１０と比較して、ミキサ１２９と、スイッチＳＷ４とをさらに設けた点とが異なる。また、ベースバンド部１２０は、スイッチＳＷ４を制御する制御信号ＣＴ４を出力する点で異なる。その他の構成については図２で説明した構成と同様であるのでその詳細な説明は繰り返さない。
【００９６】
スイッチＳＷ４は、アンプ１３２とミキサ１２８との間に設けられる。
ミキサ１２９は、アンプ１３２の出力と発振器１５２との出力とを受けてミキシング処理してスイッチＳＷ４に出力する。
【００９７】
スイッチＳＷ４の接点Ａは、ミキサ１２８と接続される。接点Ｂは、アンプ１３２の出力と接続される。接点Ｃは、ミキサ１２９の出力と接続される。
【００９８】
スイッチＳＷ４は、制御信号ＣＴ４によりその接続関係を切り替える。
本変形例においては、受信時の妨害波信号として２種類の妨害波信号を除去することが可能な構成について説明する。
【００９９】
具体的には、妨害波信号（１４６４ＭＨｚ）と、妨害波信号（３４１６ＭＨｚ）とを除去する方式である。
【０１００】
妨害波信号（１４６４ＭＨｚ）を除去する場合には、スイッチＳＷ１〜ＳＷ４は、制御信号ＣＴ１〜ＣＴ４により接点Ａと接点Ｂとを接続する。これにより、図５で説明したのと同様の方式に従って妨害波信号（１４６４ＭＨｚ）を検出して除去することが可能である。
【０１０１】
ここで、妨害波信号（３４１６ＭＨｚ）について説明する。
図９は、実施形態の変形例に基づく通信装置における周波数変換について説明する図である。
【０１０２】
図９（Ａ）は、妨害波信号（３４１６ＭＨｚ）が受信される場合について説明する。
妨害波信号（３４１６ＭＨｚ）が受信された場合において、ミキサ１０２は、受信された妨害波信号（３４１６ＭＨｚ）とローカル信号ＬＯ１（１９５２ＭＨｚ）とをミキシング処理して中間周波数信号（３４１６−１９５２＝１４６４ＭＨｚ）を出力する。
【０１０３】
図９（Ｂ）には、アンプ１３６，１３８がローカル信号ＬＯ２を増幅する際に出力されるローカル信号ＬＯ２（４８８ＭＨｚ）の３倍の高調波（１９５２ＭＨｚ）が示されている。
【０１０４】
したがって、ミキサ１０４，１０６は、中間周波数信号（１４６４ＭＨｚ）と、ローカル信号ＬＯ２の３倍の高調波（１４６４ＭＨｚ）とに基づいてベースバンド信号（０ＭＨｚ）に変換する。それゆえ、所望の周波数信号と妨害波信号とがともにベースバンド信号に重畳されることになる。
【０１０５】
本実施形態においては、妨害波信号（３４１６ＭＨｚ）が受信される場合には、雑音として所望の周波数信号に重畳されて受信されてしまう可能性があるため当該妨害波信号をフィルタ回路により除去する。
【０１０６】
図１０は、実施形態の変形例に基づく通信装置の受信時の発振器１５２の周波数等を説明する図である。
【０１０７】
図１０に示されるように、発振器１５２は、所望の周波数信号（２４４０ＭＨｚ）を受信する場合に、当該所望の周波数信号（２４４０ＭＨｚ）の４／５倍の周波数を発振する。本例においては、１９５２ＭＨｚのローカル信号ＬＯ１を発振する場合が示されている。
【０１０８】
ミキサ１０２は、所望の周波数信号（２４４０ＭＨｚ）と、ローカル信号ＬＯ１（１９５２ＭＨｚ）とをミキシング処理して中間周波数信号（４８８ＭＨｚ）を出力する。
【０１０９】
ミキサ１０４，１０６は、中間周波数信号（４８８ＭＨｚ）と、ローカル信号ＬＯ２（４８８ＭＨｚ）とをミキシング処理してベースバンド信号Ｉｃｈ，Ｑｃｈを出力する。
【０１１０】
一方で、本例においては、フィルタ回路により妨害波信号（３４１６ＭＨｚ）と同じ周波数の信号を除去する。
【０１１１】
妨害波信号（３４１６ＭＨｚ）を除去する場合には、スイッチＳＷ３は、制御信号ＣＴ３により接点Ａと接点Ｃとを接続する。また、スイッチＳＷ４は、制御信号ＣＴ４により接点Ａと接点Ｃとを接続する。これにより、ミキサ１２９には、発振器１５２のローカル信号ＬＯ１（１９５２ＭＨｚ）がそれぞれ入力されてミキシング処理により３９０４ＭＨｚの信号がスイッチＳＷ４に出力される。
【０１１２】
そして、ミキサ１２８は、スイッチＳＷ４を介して入力される３９０４ＭＨｚの信号と、スイッチＳＷ２を介して入力される４８８ＭＨｚの信号とをミキシング処理する。これにより、ミキサ１２８は、３４１６ＭＨｚの周波数信号と、４３９２ＭＨｚの周波数信号とを生成して出力する。ミキサ１２８から出力された信号は、ＨＰＦ１２６を介してミキサ１２２に入力される。
【０１１３】
ミキサ１２２は、妨害波信号（３４１６ＭＨｚ）と同じ周波数成分の信号を受けて、受信信号から当該信号成分のみを通過させる。これにより、受信信号から妨害波の周波数成分のみを除去することが可能であり、所望の周波数信号のみを復調することが可能である。
【０１１４】
なお、妨害波信号（３４１６ＭＨｚ）と、４３９２ＭＨｚの周波数信号とがミキサ１２２によりミキシング処理されて９７６ＭＨｚの信号に周波数変換されるがＬＰＦ１７２によりフィルタリング処理される。そして、検出部１７０において妨害波信号（３４１６ＭＨｚ）の受信が有る場合には、電圧が検出される。
【０１１５】
本実施形態に基づく構成においては、当該妨害波を除去するための特別な回路を設ける必要が無く、ミキサ１２８を設けることにより妨害波信号（１４６４ＭＨｚ，３４１６ＭＨｚ）と同じ周波数成分の信号を生成することが可能である。したがって、妨害波信号を除去するための発振器を設ける必要がない。
【０１１６】
また、当該妨害波信号と同じ周波数の信号をミキサ１２８で生成して出力することにより、受信した受信信号から妨害波信号の信号成分のみを除去することが可能であり、簡易な構成で妨害波信号を除去することが可能である。
【０１１７】
なお、本実施形態の変形例に基づく構成においては、同時に２つの妨害波信号を検出できないためスイッチを所定時間毎に切り替えて妨害波信号を受信しているか否かを検出部１７０で検出し、検出した妨害波信号に合わせて除去するようにすることが可能である。
【０１１８】
以上、本開示を実施形態に基づき具体的に説明したが、本開示は、実施形態に限定されるものではなく、その要旨を逸脱しない範囲で種々変更可能であることはいうまでもない。
【符号の説明】
【０１１９】
１  通信装置、２  半導体装置、１０  通信モジュール、１２  アンテナモジュール、１４  アンテナ、１８  電源制御モジュール、２０  バッテリ、１００，１２４，１３０，１３２，１３６，１３８，１５４，１６８，１７４  アンプ、１０２〜１０６，１２２，１２８，１２９  ミキサ、１０８，１１０，１７２  ＬＰＦ、１１２，１１４  ＡＤコンバータ、１２０  ベースバンド部、１２６  ＨＰＦ、１４０，１５６  ２分周器、１５２  発振器、１５８  ＤＡコンバータ、１７０  検出部。
【図１】
0006434822.tif 000002
【図２】
0006434822.tif 000003
【図３】
0006434822.tif 000004
【図４】
0006434822.tif 000005
【図５】
0006434822.tif 000006
【図６】
0006434822.tif 000007
【図７】
0006434822.tif 000008
【図８】
0006434822.tif 000009
【図９】
0006434822.tif 000010
【図１０】
0006434822.tif 000011